Podtech/llm-jp-corpus-v4-ja_patent huggingface dataset:
(57)【要約】【課題】  基材や部品としてあらゆる熱可塑性樹脂を使用することを可能とし、しかも接合力が強力なスピン溶着方法を実現する。【解決手段】  下孔３を設けた熱可塑性樹脂製の基材２に、下孔に嵌入可能な外径を有する熱可塑性樹脂製の部品１を高速回転しながら圧入することにより、溶融させた基材の下孔の内壁と部品の外壁を互いに不規則な形状に変形させて入り組ませて固着する。【選択図】    図１
2005169979.tif 000002
【特許請求の範囲】
【請求項１】
下孔を設けた熱可塑性樹脂製の基材に、下孔に嵌入可能な外径を有する熱可塑性樹脂製の部品を高速回転させながら圧入することにより、溶融させた基材の下孔の内壁と部品の外壁を互いに不規則な形状に変形させて入り組ませて固着することを特徴とするスピン溶着方法。
【請求項２】
溶融させた基材の下孔の内壁と部品の外壁が互いに不規則な形状に変形して入り組んだ時点で部品の回転を瞬時に停止することにより、入り組んだ状態で両者を固化する請求項１記載のスピン溶着方法。
【請求項３】
部品の圧入速度は０．２乃至１．５ｍｍ／秒以下、回転速度は４０００乃至６０００ｒｍｐの範囲内である請求項１又は２記載のスピン溶着方法。
【発明の詳細な説明】
【技術分野】
【０００１】
この発明は、回転する部材同士の摩擦熱により熱可塑性樹脂製の部材同士を溶着するスピン溶着方法に関する。
【背景技術】
【０００２】
プラスチック部材同士の接合方法として、固定した熱可塑性樹脂製の基材に対し、熱可塑性樹脂製の部品を回転させながら当接し、回転による摩擦熱により両者を溶着するスピン溶着が公知である（公知例としては特許文献１）。この種の溶着方法においては、部材の面同士を当接して溶着することが一般的であり、この場合、回転側の部材は溶融後回転力の付加が停止されることにより慣性により回転した後、溶融して渾然一体となった両部材の当接箇所が固化しようという力により回転は停止する。
【特許文献１】特開平１０−１６０５５号公報
【発明の開示】
【発明が解決しようとする課題】
【０００３】
以上のスピン溶着方法は接着剤を用いないでプラスチック部材同士を接合できるので、接着剤による接着箇所の白化による見栄えの悪さや工程増を回避することができる有用な手段である。しかしながら、溶着される部材の熱可塑性樹脂同士には高い相容性が要求され、２つの樹脂の融点および流動指数が大きく異なり相容性が小さい場合はうまく溶着できない問題があった。又、ある種の熱可塑性樹脂、例えばポリプロピレンを強固に溶着できない問題もあった。
【課題を解決するための手段】
【０００４】
この発明は以上の従来技術の問題点を解消したスピン溶着方法を提供することを目的として創作されたものである。即ち、この発明のスピン溶着方法は、下孔を設けた熱可塑性樹脂製の基材に、下孔に嵌入可能な外径を有する熱可塑性樹脂製の部品を高速回転させながら圧入することにより、溶融させた基材の下孔の内壁と部品の外壁を互いに不規則な形状に変形させて入り組ませて固着することを特徴とする。
【０００５】
又、ここでは第２発明として前記の第１発明において、溶融させた基材の下孔の内壁と部品の外壁が互いに不規則な形状として入り組んだ時点で部品の回転を瞬時に停止することにより、入り組んだ状態で両者を固化するスピン溶着方法も開示する。
【発明の効果】
【０００６】
以上の構成よりなるこの発明によれば、基材の下孔に対して、それに嵌入した部品を高速回転させるので、回転による摩擦熱により溶融した部品の外周箇所の樹脂が遠心力により綿飴状に拡散して変形し、これが下孔の内壁の溶融した樹脂を巻き込んで互いに不規則な形状として入り組んだ状態となる現象を生じる。そこで、この段階で固化することにより、溶融して化学的に渾然一体となった溶着状態というよりは、むしろ両者が入り組んで物理的に嵌め合った状態での接合が実現されることとなる。よって、従来相容性の問題で接合が難しかった熱可塑性樹脂同士や、ポリプロピレンも強固に接合することが可能となる効果を奏する。
【０００７】
一方、第２発明によれば、溶融させた基材の下孔の内壁と部品の外壁が互いに不規則な形状として入り組んだ状態で部品の回転が停止し、そのまま硬化するので、慣性による部品の回転が徐々に低下する過程で溶融した樹脂が徐々に硬化し、それにより互いに不規則な形状として入り組んだ状態となった樹脂が破壊されることが防止される効果を奏する。
【０００８】
以上の効果より、この発明のスピン溶着方法によれば基材や部品としてあらゆる熱可塑性樹脂を使用することが可能となり、接合力が強力なことも相まって、今まで金属製の部品を使用せざるを得なかった場面においても樹脂を使用することができるので、リサイクル時に分別が不要となる工業製品を実現できる効果を奏する。
【発明を実施するための最良の形態】
【０００９】
図１乃至図４はこの発明のスピン溶着方法の工程の一例を示す図である。図中符号１は部品であり、ここでは基材２との間に他の部材を固定するためのビスを例示している。これらの基材２及び部品１は熱可塑性樹脂により構成されるものであり、その中にはポリエチレン、塩化ビニル樹脂、ポリプロピレン、ポリスチレン等も含まれる。上記の部品１は高速回転しながら基材２の下孔３内に圧入され（図１及び２参照）、溶融状態Ｍとなった基材の下孔の内壁と部品の外壁が、互いに不規則な形状に変形して入り組んだ時点で部品の回転が瞬時に停止される（図３及び４参照）。実験によれば、上記の部品の回転速度は４０００乃至６０００ｒｍｐで、圧入速度が０．２乃至１．５ｍｍ／秒以下の範囲内である場合に良好な接合効果（強度の最大荷重２００Ｎ以上）が得られている。
【００１０】
図中符号Ｄは部品１を回転させるための回転装置のヘッドであり、吸引や吸着、或いは掴持により部品を固定する。回転装置は瞬時に回転を停止できることが要件であり、そのための機構としては例えば起電力により駆動のための電気モータにブレーキをかけること等が例示できる。
【図面の簡単な説明】
【００１１】
【図１】この発明のスピン溶着方法の工程を示す一部切り欠き側面図。
【図２】同上、一部切り欠き側面図。
【図３】同上、一部切り欠き側面図。
【図４】同上、一部切り欠き側面図。
【符号の説明】
【００１２】
１        部品
２        基材
【図１】
2005169979.tif 000003
【図２】
2005169979.tif 000004
【図３】
2005169979.tif 000005
【図４】
2005169979.tif 000006
(57)【要約】【課題】光を吸収することにより高い視認性を有するとともに、曲面にも取り付け可能にする。【解決手段】シート１上に接着されたプリズムフィルム２と、プリズムフィルムの周囲にクリアランス３を介して形成された蓄光剤層４と、プリズムフィルムおよび蓄光剤層の表面に形成された透明樹脂層５と、前記シートの下面に貼着された両面接着テープ６とからなる構成。【選択図】図１
2005169908.tif 000002
【特許請求の範囲】
【請求項１】
シート上に接着されたプリズムフィルムと、該プリズムフィルムの周囲にクリアランスを介して形成された蓄光剤層と、前記プリズムフィルムおよび蓄光剤層の表面に形成された透明樹脂層と、前記シートの下面に貼着された両面接着テープとからなることを特徴とするプリズム付き蓄光シート。
【発明の詳細な説明】
【技術分野】
【０００１】
本発明は、自転車、車両、電柱、交通標識、住宅やオフィスビルなどの室内、地下鉄の構内、地下駐車場等に取り付けて有効なプリズム付き蓄光シートに関する。
【背景技術】
【０００２】
従来、自転車等の後尾に反射板を取り付け、街灯や車両の前照灯等の光を反射板に反射させ、自転車の位置を視認させるものが知られているが、この反射板は光源がある場合にのみ有効であり、夜間などで光源が無い場合には視認できない。
【０００３】
この問題を解決するために、特許文献１においては、反射板の内部に蓄光材を挿入し、夜間など光源が無い場所では、昼間に蓄光した蓄光材が反射板を通して自然発光させる方式を提案している。
【特許文献１】特開平１１−３０５０１５号公報
【発明の開示】
【発明が解決しようとする課題】
【０００４】
しかしながら、上記特許文献１の方式においては、反射板の内部に蓄光材を挿入しているため、蓄光効率が低いとともにその発光量も小さく、視認しにくいという問題を有している。また、反射板を曲面に取り付けることが難しいという問題を有している。
【０００５】
本発明は、上記従来の問題を解決するものであって、光を吸収すれば蓄光剤層部分が蓄光、発光を繰り返し、夜間などの暗い場所でも高い視認性を有し、光を受ければプリズムフィルムにより光が反射され昼間でも夜間でも高い視認性を有し、さらに、曲面にも取り付けることができるプリズム付き蓄光シートを提供することを目的とする。
【課題を解決するための手段】
【０００６】
そのために、本発明のプリズム付き蓄光シートは、シート上に接着されたプリズムフィルムと、プリズムフィルムの周囲にクリアランスを介して形成された蓄光剤層と、プリズムフィルムおよび蓄光剤層の表面に形成された透明樹脂層と、前記シートの下面に貼着された両面接着テープとからなることを特徴とする。
【発明の効果】
【０００７】
本発明によれば、光を吸収すれば蓄光剤層部分が蓄光、発光を繰り返し、夜間などの暗い場所でも高い視認性を有する。また、光を受ければプリズムフィルムにより光が反射され昼間でも夜間でも高い視認性を有し、さらに、曲面にも取り付けることができる。
【発明を実施するための最良の形態】
【０００８】
以下、本発明の実施の形態を図面に基づいて説明する。図１および図２は、本発明のプリズム付き蓄光シートの１実施形態を示し、図１（Ａ）は斜視図、図１（Ｂ）は断面図、図２は製造工程を説明するための図である。
【０００９】
図１および図２に示すように、ポリプロピレン等の合成樹脂シート１上には、厚みが０．１ｍｍ程度のプリズムフィルム２が接着されている。プリズムフィルム２としては市販の製品を採用し、樹脂フィルム表面にプリズムが形成されたレンズフィルム、又は樹脂フィルム表面に金属の凹凸形状を蒸着したメタリックフィルムを採用している。なお、合成樹脂シートの代わりに紙などのシートを採用してもよい。
【００１０】
一方、合成樹脂シート１上のプリズムフィルム２の両側には、厚み１ｍｍ程度のクリアランス３を設けて０．１１ｍｍ程度の厚みで蓄光剤層４を印刷にて形成している。蓄光剤としては、光源があるときはその光を蓄積し光源がないときには蓄積した光を放出する性質を有する市販の材料を採用している。
【００１１】
プリズムフィルム２および蓄光剤層４の表面には、厚みが０．１ｍｍ程度のウレタン等の透明樹脂層５が印刷にて形成されている。透明樹脂層５の表面はクリアランス３の働きにより平坦に形成されている。
【００１２】
合成樹脂シート１の下面には両面接着テープ６が貼着されている。本発明のプリズム付き蓄光シート７を構成している。プリズム付き蓄光シート７を、自転車、車両、電柱、交通標識などに取り付ける場合には、両面接着テープ６の離形紙６ａを剥がして当該箇所に貼着する。
【００１３】
図３は、本発明のプリズム付き蓄光シートの他の実施形態を示す平面図である。本実施形態においては、プリズムフィルム２を楕円形としその周囲にクリアランス３をおいて蓄光剤層４を設けている。なお、積層構造は、図１と同様であるので説明を省略する。
【００１４】
以上、本発明の実施の形態について説明したが、本発明はこれに限定されるものではなく、種々の変更が可能である。例えば、蓄光シートを図１の例では長方形、図３の例では楕円形としているが、三角形、四角形などの多角形、その他、任意の形状のものを採用することができる。
【図面の簡単な説明】
【００１５】
【図１】本発明のプリズム付き蓄光シートの１実施形態を示し、図（Ａ）は斜視図、図（Ｂ）は断面図である。
【図２】本発明の製造工程を説明するための図である。
【図３】本発明のプリズム付き蓄光シートの他の実施形態を示す平面図である。
【符号の説明】
【００１６】
１…シート、２…プリズムフィルム、３…クリアランス、４…蓄光剤層
５…透明樹脂層、６…両面接着テープ
【図１】
2005169908.tif 000003
【図２】
2005169908.tif 000004
【図３】
2005169908.tif 000005
(57)【要約】【課題】（イ）打球時にシャフトの曲りと捻れに起因するヘッドの曲りと捻れが生じるので、打球時の安定性を確保するのが難しい。（ロ）打球時にシャフトの曲りと捻れが生じるので、打球時の安定性を確保するのが難しい。（ハ）ヘッドスピードの増加と打球力の増加を計ることにより、飛距離を増大させる。【解決手段】シャフト（１２）の中間に錘り（１４）を取り付ける。【選択図】  図１
2005169026.tif 000002
【特許請求の範囲】
【請求項１】
シャフト（１２）の中間に錘り（１４）を取り付けたゴルフクラブシャフト。
【発明の詳細な説明】
【技術分野】
【０００１】  本発明は、ゴルフクラブの飛距離の増大と打球時の安定性を向上させるための、シャフトの中間に錘りを取り付けたゴルフクラブシャフトに関するものである。
【背景技術】
【０００２】  ゴルフクラブは飛距離の増大と、打球時の安定性を向上させることが常に求められている。
【発明の開示】
【発明が解決しようとする課題】
【０００３】（イ）打球時にシャフトの曲りと捻れに起因するヘッドの曲りと捻れが生じるので、打球時の安定性を確保するのが難しい。
（ロ）打球時にシャフトの曲りと捻れが生じるので、打球時の安定性を確保するのが難しい。
（ハ）ヘッドスピードの増加と打球力の増加を計ることにより、飛距離を増大させる。
【課題を解決するための手段】
【０００４】  シャフト（１２）の中間に錘り（１４）を取り付ける。
【発明の効果】
【０００５】  シャフト（１２）の中間に錘り（１４）を取り付ける。仮に錘り（１４）の位置をＡ点とすると、打球時に錘り（１４）の慣性力でＡ点に一つの支点が発生するので、シャフト（１２）にはＡ点を境に打球時の力が二分されて作用する。
（イ）打球時のヘッド（１１）側のシャフト（１２）の長さは、Ａ点までの長さＬ１になるが、長さＬ１はシャフト（１２）の剛性を十分確保できるほど短かいのでシャフト（１２）はヘッド（１１）と一体化され、シャフト（１２）の曲りと捻れに起因するヘッド（１１）の曲りと捻れが減少するので、打球時の安定性が増す。
（ロ）打球時のグリップ（１３）側のシャフト（１２）の長さは、Ａ点からグリップ（１３）までの長さＬ２になり、シャフト（１２）全長Ｌ３より短くなるので、その分のシャフト（１２）の曲がりと捻れが減少し、打球時の安定性が増す。
（ハ）打球時のシャフト（１２）にＡ点を支点とするテコの原理が作用し、Ａ点からヘッド（１１）までの長さＬ１と、Ａ点からグリップ（１３）までの長さＬ２との逆比分の打球時の力がヘッド（１１）に作用するので打球力が増加し、かつ、ヘッドスピードが増加するので、ボールの飛距離が増大する。
【発明を実施するための最良の形態】
【０００６】  以下、本発明の第一の実施の形態について説明する。
図１・図２において、シャフト（１２）のヘッド（１１）寄りに、２片に分かれた錘り（１４）を２本の錘り取り付けボルト（１５）でシャフト（１２）に取り付ける。錘り（１４）の材質は金属、ゴム、繊維強化樹脂、プラスチックである。【０００７】  以下、本発明の第二の実施の形態について説明する。
図３・図４において、シャフト（２２）のヘッド（２１）寄りに、錘り（２４）をシャフト（２２）に埋め込んで固定する。錘り（２４）の材質は金属、ゴム、繊維強化樹脂、プラスチックである。
【図面の簡単な説明】
【０００８】
【図１】本発明の第一の実施の形態を示した側面図である。
【図２】本発明の第一の実施の形態を示したＢ−Ｂ断面図で、側面図の１０倍に書いてある。
【図３】本発明の第二の実施の形態を示した側面図である。
【図４】本発明の第二の実施の形態を示したＢ−Ｂ断面図で、側面図の１０倍に書いてある。
【符号の説明】
【０００９】１１    ヘッド
１２    シャフト
１３    グリップ
１４    錘り
１５    錘り取り付けボルト
２１    ヘッド
２２    シャフト
２３    グリップ
２４    錘り
【図１】
2005169026.tif 000003
【図２】
2005169026.tif 000004
【図３】
2005169026.tif 000005
【図４】
2005169026.tif 000006
(57)【要約】      （修正有）【課題】トイレットペーパーは通常１８個が梱包され販売されている、これを衛生的に整理収納する、トイレットペーパー収納ケースを提供する。【解決手段】トイレットペーパーを縦６個×横３個を重ねて収納できるよう内側に溝を設けた箱型のケースで、上部に蓋を設け下部には扉付き取り出し口と、ペーパーホルダー取付け部を設け、ホルダーを取り付けない場合は小物入れとして使用する、壁に取り付ける場合のネジ止め用の穴と床に置く場合の脚を設けた、トイレットペーパー収納ケース。【選択図】図１
2005169030.tif 000002
【特許請求の範囲】
【請求項１】
トイレットペーパーを縦６個×横３個が収納出来るよう上部に蓋を設け、横３列がスムースに収まるように内側に溝を設けた箱型のケースで、下部に扉付きペーパー取りだし口と、その下にはペーパーホルダーを取り付ける事ができるスペーを設ける、ホルダーを取りつけない場合には小物入れスペースとして使用し、壁に取り付ける合場のネジ止め用の穴と、床に置く場合はケースが壁に寄りかかるよう前部に脚を設けた、以上を特徴とするトイレットペーパー収納ケース。
【発明の詳細な説明】
【技術分野】
【０００１】本発明は、数個のトイレットペーパーを衛生的に保管し整理する、収納ケースに関するものである。
【背景技術】
【０００２】従来、トイレットペーパーは、購入時に、１８個をビニールなどで梱包し販売されているこれを保管するには、ケースなどは無いので、そのまま床  又は棚などに置くことになり使用時にビニールを破き取り出すと、見た目にも悪く置き場所にも不便であった。
【発明の開示】
【発明が解決しようとする課題】
【０００３】そのために、次のような問題点があった。
（イ）その大きさから、置き場所に困った。
（ロ）購入時のビニール梱包のままでは、見た目にも悪かった。
本発明は、これらの問題点を解決するためになされたものである。
【課題を解決するための手段】
【０００４】トイレットペーパーを縦６個×横３個を重ねて収納出来るよう上部に蓋をもうけ内側に、横３列がスムースに収まるよう溝を設けた箱型のケースで、下部に扉付ペーパー取り出し口と、下にペーパーホルダーを取り付けるスペースを設け、ペーパーホルダーを取り付けない場合には小物入れスペースとし、壁に取り付ける場合のネジ止め用の穴と床に置く場合は壁に寄りかかるようにケース前部に脚を設けた、以上を特徴とするトイレットペーパー収納ケース。
【発明の効果】
【０００５】トイレットペーパーを縦６個×横３個に重ねて収納する為、厚みが半分になり狭い所でも収納でき、見た目もよく床に置くことも壁に取り付けることもできる、現在使用中のペーパーホルダーをこの収納ケースに取りつけることもでき、取りつけない場合には小物入れとして使用するのでトイレ室内を有効に利用することが出来る。
【発明を実施するための最良の形態】
【０００６】以下、本発明の実施の形態について説明する。
トイレットペーパー縦６個、横３個を収納出来るよう内側に溝（１０）のある収納部（２）に上部蓋（１）を設け、収納部の下部に、扉付き取り出し口（４）を設ける、ペーパーホルダー取り付け部（６）を設けペーパーホルダーを取り付けない場合は、小物入れ（７）として利用する、壁に取りつける場合の止めネジ用穴（８）と床に置く場合の脚（９）を設ける本発明は、以上のような構成よりなっている、
【図面の簡単な説明】
【０００８】
【図１】本発明の斜視図
【図２】本発明の正面図
【図３】本発明の使用状態を示す正面断面図
【図４】本発明の使用状態を示す側面断面図
【符号の説明】
【０００９】  １  上部蓋
２  収納部
３  蝶番
４  ペーパー取り出し口扉
５  取っ手
６  ペーパーホルダー取り付け部
７  小物入れスペース
８  止めネジ用穴
９  脚
１０  溝
【図１】
2005169030.tif 000003
【図２】
2005169030.tif 000004
【図３】
2005169030.tif 000005
【図４】
2005169030.tif 000006
(57)【要約】【課題】スライドレールの付いた引き出しを常に制動状態とし不意な飛び出し等の不安定な動きを防止すると共に、引き出しを引き出しす時と押し込む力を加えたときのみ自動的に制動を解除できる機構を提供する。【解決手段】図１．図３．のように、引き出しの下側が自重によって常に制動装置の上にあり安定した状態を維持できる機構とし、引き出しを引き出す時と押し込む力を加えた時のみ図２．図４．のように、アームの動きによって引き出しが制動装置から持ち上がり制動力が弱くなりスライドレールによって軽い力で動かすことが出来る機構とし、制動力の大きさはアームの角度、長さ、制動装置の摩擦力等で設定を変えることができるものとする。【選択図】図１
2005169021.tif 000002
【特許請求の範囲】
【請求項１】
スライドレールによって開閉する引き出しが振動や傾斜によって、不意に飛び出さないように常に制動状態に保持し、引き出しを引き出すときと押し込むときにそれぞれ専用のアームによって引き出しが制動装置から持ち上がることによって、自動的に制動が解除される構造とし、引き出す時と押し込む時の制動力を制動装置の摩擦力と、それぞれのアームの角度、長さを変えることで引き出す時と押し込む時を別々に設定することを可能とし引き出しに加える力によって制動力を自由に加減することが出来ることを特徴とする自動制動機構つき引き出し。
【発明の詳細な説明】
【技術分野】
【０００１】  本発明はスライドレールの付いた引き出しの制動機構に関するものである。
【背景技術】
【０００２】  スライドレールの付いた引き出しは動作が軽いので振動や傾斜によって、不意に飛び出さない様にストッパーやロック機構を取り付けることで対処していたがいずれも引き出しを閉じたときのみ動作をする物で引き出しの開閉途中では全く機能しない物であった。【０００３】  スライドレールの内部にフリクションバネを付けて制動させる物もあるが、スライドレールの動きが重くなるという欠点があった。
【特許文献１】特開平０５−０７６４２９
【発明の開示】
【発明が解決しようとする課題】
【０００４】  解決しようとする問題点は、引き出しが開閉途中や手前まで引き出した状態の時に傾斜や振動などによって飛び出したりする不安定な状態にある点である。
【課題を解決するための手段】
【０００５】  本発明は、引き出しがどの位置にあっても常に制動がかかった状態とし、引き出しを引き出す時と押し込む力を加えたときに自動的に制動が解除できる構造とする事によって、引き出しを常に安定な状態に維持することを最も主要な特徴とする。
【発明の効果】
【０００６】  本発明の自動制動機構付き引き出しは、引き出す時と押し込む力を加えたとき以外は常に制動が掛った状態を維持しているのでどの位置に引き出しがあっても不意に飛び出したりするなどの不安定な動きを防止できるという利点がある。
【発明を実施するための最良の形態】
【０００７】  引き出しが常に制動装置によって制動が掛った状態に維持されるようにして、引き出す時と押し込む力を加えたときに引き出しが制動装置から浮き上がりスライドレールによって、軽い力で動作できるような構造とし、その時の制動力は引き出しに加える力によって自由に加減することが出来る構造を実現した。
【実施例１】
【０００８】  図１は、本発明の自動制動機構付き引き出しの側面図で、９引き出しを一番奥まで押し込んで９引き出しが、８制動装置の上に下がり制動が掛った状態を示したものである。【０００９】  図２は、図１の状態から９引き出しに引き出す力を加えているところを示したものであり、３固定ピンＢを支点にし５アームＢによって、１スライドレール固定ピンに上方向に持ち上がる力が掛り、９引き出しが８制動装置から持ち上がることにより制動力が弱くなり９引き出しが、スライドレールによって軽い力で引き出すことが出来るようになる。【００１０】  図３は、図２の状態から引き出すのを止めたところを示したものであり、９引き出しが自重によって８制動装置の上に下がり制動状態に復帰した所を示したものである。【００１１】  図４は、図３の状態から９引き出しに押し込む力を加えている所を示したものであり、２固定ピンＡを支点にし４アームＡによって、１スライドレール固定ピンに上方向に持ち上がる力が掛り、９引き出しが８制動装置から持ち上がることにより、制動力が弱くなり９引き出しがスライドレールによって軽い力で押し込むことが出来るようになる。【００１２】図４の状態から押し込むのをやめると、９引き出しは自重によって８制動装置の上に下がり制動状態に復帰する。【００１３】  引き出しに加える力が大きくなると制動力が弱くなり軽く動き、引き出しをゆっくり動かすと少しずつ制動が掛りながら動くので、引き出しに加える力によって制動力が変化する構造とすることによってガタツキが無くスムーズな動きをさせることを可能とし、アームの角度を変えることによって制動力も引き方向と押し方向を別々に調整することが可能となった。
【産業上の利用可能性】
【００１４】  本発明の自動制動機構付き引き出しは、引き出しを動かすときも少しずつ制動が掛りながら動くのでガタツキがなくスムーズな動きをするだけでなく、引き出しをどの位置で止めても常に制動状態に維持されることでで不意な飛び出しや不安定な動きをしないので、移動が必要な容器等の引き出しに利用すればロック機構等を必要としないので製造コストを抑える事が出来るうえに動きがスムーズなので高級感があるので家具等の引き出しにも適用できる。
【図面の簡単な説明】
【００１５】
【図１】本発明の側面図で引き出しを押し込んだ状態で止めた所を示した物である。
【図２】本発明の側面図で引き出しに引き出す力を加えている所を示した物である。
【図３】本発明の側面図で引き出しを途中まで引き出した状態で止めた所を示した物である。
【図４】本発明の側面図で引き出しに押し込む力を加えている所を示した物である。
【図５】本発明の立体図で自動制動機構を引き出しに取り付けた状態を示した物である。
【図６】本発明の正面図である。
【符号の説明】
【００１６】  １スライドレール固定ピン
２固定ピンＡ
３固定ピンＢ
４アームＡ
５アームＢ
６外側スライドレール
７内側スライドレール
８制動装置
９引き出し
【図１】
2005169021.tif 000003
【図２】
2005169021.tif 000004
【図３】
2005169021.tif 000005
【図４】
2005169021.tif 000006
【図５】
2005169021.tif 000007
【図６】
2005169021.tif 000008
(57)【要約】【課題】    一般的に今まで正確な意味でのアンモニア系の消臭剤はない、物理的吸着並びに香料で悪臭をカバーする、いわゆる臭覚の誤魔化しである。【解決手段】    アンモニア臭は塩基性であるから酸性で中和すると臭いは消える。空間に拡散しているときのアンモニア臭はプラスイオン化していてマイナスイオンを近づけるとお互いに電気化学的に吸着し中和し消臭する。自動間けつ噴霧器でマイナスイオンを噴霧することにより限られた空間を１００％消臭することが出来る。【特許請求の範囲】
【請求項１】
特定空間に継続する主にアンモニア系の臭いの消臭を目的として、イオン交換液を自動間けつ噴霧器で該空間に噴霧すること。
【発明の詳細な説明】
【技術分野】
【０００１】  本発明は特定の空間を連続して自動的に、アンモニア系の臭いを消すことに関するものである。
【背景技術】
【０００２】
【特許文献１】        特許第３２３８４９５号
【特許文献２】        特許第３２４５４５４号
【非特許文献１】        斉藤恭一・須郷高信共著「猫とグラフト重合」，丸善株式会社，平成８年３月２０日発行，ｐ．３〜８
【非特許文献２】        黒田六郎・渋川雅美共著「イオン交換」，丸善株式会社，昭和５６年６月２５日発行，ｐ．１３１，１３２
【非特許文献３】        「１４３０３の化学商品」，化学工業日報社，２００３年１月２８日発行，ｐ．１１０３〜１１０７
【発明の開示】
【発明が解決しようとする課題】
【０００３】  一般的に今まで正確な意味でのアンモニア系の消臭剤はなかった、物理的吸着（例えば活性炭など）並びに香料で悪臭をカバーするだけである。
くさいものに蓋的な、臭覚の誤魔化し的処理を消臭といっているに過ぎない様に思う、しかし生理的に受付けない敏感な人、あるいは病的な人が多くなって来たのでこの方式を変更したい。【０００４】  ある空間の臭気を皆無にしたとしても悪臭の発生源があり、その質量が残る限り悪臭は続く。これを人為的操作のみで消臭を続けるには極めて困難を伴うので自動的かつ継続的に簡単に行なうことは出来ないだろうか。【０００５】  又芳香族系の良いにおいは消さずにそのまま残しておきたい。しかし従来の技術では肝心な区別消臭は出来ない。本発明は以上の諸点を一括総合し、いままで出来なかった一定の空間から常時アンモニア系の消臭とそれを人手によらない簡便な方法によるものである。
【課題を解決するための手段】
【０００６】  アンモニア系の臭いは塩基性である。従って酸性で中和すると臭いは消える。人体に影響のない酸とは何か、又臭いは気体である、空気中に拡散している臭いの分子を如何に早く、如何に多く中和させられるかが問題点である。【０００７】  イオン交換技術は開発されて７０年以上の歴史があり、産業界に深く浸透し、業界によっては、なくてはならないものとなっている。液体や気体の中から原子、分子レベルの物質の捕捉も行える。
【非特許文献１】にある高度の手法が開発された。
【０００８】  一般的に一定の空間に拡散しているアンモニア臭を消すためには人畜に無害で的確でかつ安直な方法、それはイオン交換液（例えばスルフォン酸基を含む）の消臭に必要な量を該空間にセンサーによる自動間けつ噴霧器で霧状散布することである。【０００９】  炭水化物や蛋白質などの水に溶けやすいものを基材として官能基にスルフォン酸基を用いる。その効率を考え放射線グラフト共重合で官能基の単位量を増大させる。この水溶液を噴射剤（例えばＬＰＧ，ＧＭＥ）共々スプレー缶詰とする。噴霧の状態は出来るだけ細かく広くスプレーすることにより表面積が大きくなり反応面積が大になる。アンモニア臭は空間でプラスイオンである。スルフォン酸基は基材を通常離れないがマイナスイオンで、あたかも磁石のＮがＳを引きつける様にマイナスイオンがプラスイオンを引寄せ電気化学的に中和し消臭し空間のアンモニア臭は激減する。【００１０】  しかし臭いの発生に伴う消臭を人為的に行うことは大変困難なことである。そこで例えば乾電池２本ですべてが自動で行われる機器を考える。噴霧量、昼夜の別、時間、間けつ噴霧が任意に設定出来る。アンモニア臭の濃度（質量）、と時間により、例えば２ヶ月に一度交換等のサービスを受ければ、あとは一切タッチすることなくアンモニア系の臭いと決別することが出来る空間が誕生することになる。
【発明の効果】
【００１１】  本発明の効果として次の場所への設置を考えてみる。
（駅のトイレ）始発電車と共に駅全体に照明が点り消臭器も自動的に稼動を始める。そして終電までトイレも頻度高く利用される。あらかじめ濃度測定し自動噴霧を適正間隔に設定しておくと終日アンモニア臭から開放される。
（飲食店のトイレ）最近は建物が先で出店計画が後になっている。そのためにトイレの換気に苦労されている。又酒と粗相の問題があリトイレの汚れ、アンモニア臭がひどい。しかし全く消臭出来、上等席が増え店のイメージアップにつながる。
（養老・介護関係）加齢臭と尿の臭いが問題であるが部屋全体からアンモニア臭がなくなり介護関係者はもとより本人自身の尊厳の維持から双方に笑顔が生まれる。
(57)【要約】【課題】  手のひらサイズのゴルフクラブを使い、ゴルフ盤の上で球を飛ばし、遊べる様にした指ゴルフ盤を提供する。【解決手段】  手のひらサイズのゴルフクラブを「く」の字に曲げ、補助具を組み合わせ、それをゴルフ盤の上で指で回転させる事により球を飛ばす事を特徴とする。【選択図】  図１
2005169040.tif 000002
【特許請求の範囲】
【請求項１】
手のひらサイズのゴルフクラブを「く」の字に曲げ、補助具を組み合わせ、盤の上で、指で回転させる事により球を飛ばす事を特徴とする指ゴルフ盤。
【発明の詳細な説明】
【技術分野】
【０００１】  本発明は、手のひらサイズのゴルフクラブを使い、ゴルフ盤の上で球を飛ばし、遊べる様にした指ゴルフ盤に関するものである。
【背景技術】
【０００２】  従来、テレビゲーム等によるゲームはあったが、実際に球を飛ばすものではなかった。
【発明の開示】
【発明が解決しようとする課題】
【０００３】  その為に次の様な問題点があった。
小さなゴルフ盤の上で、手のひらサイズのゴルフクラブを使って球を飛ばすには、いかにすればミニゴルフクラブを振れるかが問題であった。
本発明は以上の問題点を解決する為になされたものである。
【課題を解決するための手段】
【０００４】  手のひらサイズのゴルフクラブを「く」の字に曲げ、補助具を組み合わせ、それをゴルフ盤の上で指で回転させる事により球を飛ばす。
以上を特徴とする指ゴルフ盤である。
【発明の効果】
【０００５】  小さなゴルフ盤とミニゴルフクラブの組み合わせにより、室内でもアウトドアでも持ち運び出来、楽しむ事が出来る。
【発明を実施するための最良の形態】
【０００６】  以下、本発明の実施の形態を説明する。
（イ）  手のひらサイズのゴルフクラブ（１）を「く」に字の曲げ、中空部（ｂ）を設けた円筒状補助具（２）を、ゴルフクラブ（１）の一端に複数の溝（ａ）を付けた部分に通す。
（ロ）  長方形状のゴルフ盤（３）の上に任意のゴルフコースを台に直接該印する又は描くなどしてゴルフ場でプレーをする臨場感をもたせ、折りたたみ用のジョイント（４）を設け、さらに高さ調整用のネジ（５）を四隅に設ける。又、固定器具（６）を側面に設ける。
本発明は以上の様な構成で、これを使用する時はゴルフ盤（３）を開いて、固定器具（６）をセット（はめる）し、高さ調整用ネジ（５）を設定し、クラブに合わせた小さなゴルフボールをスタート地点に置く。
右利きであれば左手指で補助具（２）を支え、ゴルフクラブ（１）の溝部（ａ）を右手指で回転させて球を打てばよい（４図）。そして、ゴルフ盤上に作られたコースをまわる。
【図面の簡単な説明】
【０００７】
【図１】  本発明の分解斜視図
【図２】  本発明の組立斜視図
【図３】  本発明の使用状態を示す説明図
【図４】  本発明の使用説明図
【符号の説明】
【０００８】１  ゴルフクラブ
２  補助具
３  ゴルフ盤
４  ジョイント（継ぎ手）
５  高さ調整用ネジ
６  固定器具
ａ  溝部
ｂ  中空部
【図１】
2005169040.tif 000003
【図２】
2005169040.tif 000004
【図３】
2005169040.tif 000005
【図４】
2005169040.tif 000006
(57)【要約】【課題】  ハンガーを服に取り付ける際、襟の狭い服であってもあっても、襟を傷めず簡単にすばやく取り付けることの出来る、フックの付け根の取り付け位置を左右の中心からずらしたハンガーを提供する。【解決手段】  本体（１）の左右の中心からずらした位置にフック（２）を設けることによりフック（２）の付け根が邪魔にならず、襟を通してハンガーを服に取り付けやすくした、フック（２）の先端部を本体（１）の左右の中心にすることにより、吊り下げる際、左右のバランスをとって使用することの出来る、フックの付け根の取り付け位置を左右の中心からずらしたハンガーを特徴とする。【選択図】  図２
2005169033.tif 000002
【特許請求の範囲】
【請求項１】
本体（１）の左右の中心からずれた位置に、フック（２）を設けた、フックの付け根の取り付け位置を左右の中心からずらしたハンガー。
【発明の詳細な説明】
【発明の詳細な説明】
【技術分野】
【０００１】  この発明は、本体の左右の中心からずらした位置にフックを設け、狭い襟の服でも襟を傷めることなく、服の襟を通してハンガーを取り付け易くした、フックの付け根の取り付け位置を左右の中心からずらしたハンガーに関するものである。
【背景技術】
【０００２】  従来のハンガーはフックの付け根の取り付け位置がハンガーの左右の中心にあり、フックの付け根とハンガーの左右両側部との距離とも長く離れており、襟の幅がフックの付け根とハンガーの側部の長さより狭い場合、襟からハンガーを通し難かった。
襟の狭い服に無理にハンガーを通そうとすると、襟が延びて広がってしまうことがあった。
【発明が解決しようとする課題】
【０００３】  これは次のような欠点があった。
ハンガーを服の襟を通して取り付けるとき、フックの付け根の取り付け位置が邪魔になり、襟を通してハンガーを服に取り付け難いことがあった。
襟の狭い服に無理にハンガーを通すことにより、襟が延びて広がってしまうことがあった。
本発明は、以上のような欠点を無くすためになされたものである。
【課題を解決するための手段】
【０００４】  本体（１）の左右の中心からずらした位置にフック（２）を設ける。
本発明は、以上の構成よりなる、フックの付け根の取り付け位置を左右の中心からずらしたハンガーである。
【発明を実施するための最良の形態】
【０００５】  以下、本発明の実施の形態について説明する。
本体（１）の左右の中心からずらした位置にフック（２）を設ける、これにより、フック（２）の付け根と、片側の側部との間の距離が短くなる、このときフック（２）の付け根は左右の中心からずれているが、フック（２）の先端部はハンガーの左右の中心になるように設ける、これにより吊り下げたときに、本発明ハンガーの左右のバランスがとれ安定して使用することが出来る。
本発明は、以上のような構造でこれを使用するときは、ハンガーのフック（２）の付け根の取り付け位置から遠い側の側部を服の襟に通し、フック（２）の付け根の位置までハンガーを服の襟に通す、他方の側部を服の襟に通し、本発明ハンガーと服の中心を合わせることにより、襟の狭い服であっても簡単に服にハンガーを取り付け使用することが出来る。
【発明の効果】
【０００６】  襟の狭い服であっても、襟を傷めることなく襟を通してハンガーを取り付けることが出来る。
短時間でかつ簡単に服に取り付けることが出来る。
フックの付け根の取り付け位置は本体の左右の中心からずれているが、フックの先端部を左右の中心に設けることにより、吊り下げたときに左右のバランスが取れ、安定して服を吊り下げることが出来る。
【図面の簡単な説明】
【図１】本発明の分解正面図である
【図２】本発明の正面図である。
【符号の説明】
１    本体
２    フック
【図１】
2005169033.tif 000003
【図２】
2005169033.tif 000004
(57)【要約】【課題】靴底から伝播してくる熱の遮断を行うためには、従来においては、靴底とは別体で作られている断熱部材が必要である。断熱部材を靴底部材で覆いかぶせるように一体形成し、靴本体に塗布されている、接着剤にて固着する場合、固着強度が生じる面積が、断熱部材が固着面を占有する面積分小さくなり、固着強度が低下する。また、断熱部材を靴本体部に固着するための、作業工数が必要である。【解決手段】本発明の６靴底は、加熱溶融されると発泡されるよう、靴底部材に発泡剤が混連されている。流動性を付与された靴底部材は、６靴底の形を付与する型内を満たし、６靴底を形成し、１靴本体及び７中底の靴底固着面に塗布されている接着剤により、６靴底と１靴本体は一体固着される。このようにして形成された６靴底により、発泡化された部位が保有している空間により熱の遮断性を生じさせた６靴底を有する靴である。又、断熱部材が無いため固着面積は最大となり６靴底の固着強度は最大となり、６靴底がはがれにくい靴を提供できる結果となる。【選択図】「図２」
2005169036.tif 000002
【特許請求の範囲】
【請求項１】
靴本体に発泡ゴムを溶融して一体形成した靴底を有する靴において、発泡化された部位が保有している空間による熱の遮断性を得た靴底を有する靴。
【請求項２】
発泡ゴムを溶融して一体形成する靴底の本体との固着面全面と、靴本体固着面全面に塗布された接着剤により一体固着していることを特徴とする靴。
【請求項３】
発泡ゴムにて形成した靴底単体を、靴本体に接着剤により固着形成したことを特徴とする靴。
【発明の詳細な説明】
【技術分野】
【０００１】本発明は、履物における耐熱靴底に関するものである。
【背景技術】
【０００２】従来、床面の高熱環境下で使用する靴底は、繊維状材料が保有する空間による熱の遮断性を得た断熱部材を靴底部に固着し、断熱性部材を覆い被せるように靴底部材を一体形成し、靴底部を形成している。【０００３】従来の靴は、靴底部材とは別に断熱部材が必要であり、また、断熱部材を固着する作業工数が生じる。
【発明の開示】
【発明が解決しようとする課題】
【０００４】靴底から伝播してくる熱の遮断を行うためには、従来においては、靴底とは別体で作られている断熱部材が必要である。断熱部材を靴底部材で覆いかぶせるように一体形成し、靴本体と靴本体底面部に一体となるよう縫製されている中底に塗布されている、接着剤にて固着する場合、固着強度が生じる面積が、断熱部材が固着面を占有する面積分小さくなり、固着強度が低下する。また、断熱部材を靴本体部に固着するための、作業工数が必要である。
【課題を解決するための手段】
【０００５】本発明の６靴底は、加熱溶融されると発泡されるよう、靴底部材に発泡剤が混連されている。流動性を付与された靴底部材は、６靴底の形を付与する型内を満たし、６靴底を形成し、１靴本体及び７中底の靴底固着面に塗布されている接着剤により、６靴底と１靴本体は一体固着される。このようにして形成された６靴底により、発泡化された部位が保有している空間により熱の遮断性を生じさせた６靴底を有する靴である。又、断熱部材が無いため固着面積は最大となり６靴底の固着強度は最大となり、６靴底がはがれにくい靴を提供できる結果となる。
【発明の効果】
【０００６】本発明は、靴本体に一体形成した、発泡ゴムを溶融して発泡化された部位が保有している空間により、熱の遮断性を生じさせた靴底を有しており、靴底から人体への熱の伝播を遮断し、人体を熱から保護するものである。また、靴底と別の断熱部材が不要であり、また、断熱部材を取り付ける作業工数が不要となり、低廉化が達成できる。また、断熱部材が無いため固着面積は最大であり、靴底の固着強度は最大となる。また、靴底全体が発泡化されるため、使用材料の量が削減でき軽量化も達成できる。
【発明を実施するための最良の形態】
【０００７】靴本体に一体形成した、発泡ゴムを溶融して発泡化された部位が保有している空間による、熱の遮断性を生じさせた靴底の材料は、ゴム、ポリウレタンである。
【実施例１】
【０００８】従来の靴は図１のごとく、１靴本体に２断熱部材が固着され、次に３靴底部材を断熱部材が占有している空間を除いた部分を覆いかぶせるように、靴本体の靴底と固着する面に塗布されている４接着剤により、１靴本体と固着されている構造となっている。本発明の靴は図２のごとく、１靴本体の４発泡断熱靴底部材が固着する１靴本体の底部の全面に塗布されている４接着剤により、１靴本体と固着されている構造となっている。
【産業上の利用可能性】
【０００９】本発明は、熱の遮断性を生じさせた靴底を有しており、夏場における、道路工事用、日射が直接降り注ぐ、鉄板・鉄骨上での業務、及び溶接、製鉄、圧延工場などの、床面の高温環境下業務での使用がなされる。
【図面の簡単な説明】
【００１０】
【図１】従来の靴構造
【図２】本発明の靴構造
【符号の説明】
【００１１】  １  靴本体
２  従来断熱部材
３  接着剤
４  靴底部材
５  接着剤
６  発泡断熱靴底部材
７  中底
【図１】
2005169036.tif 000003
【図２】
2005169036.tif 000004
(57)【要約】【課題】足底筋含め下肢筋全体を効率的に痛みなく訓練できる方法を簡易にし、実用・訓練用両自転車で使用可能で、又座位や仰向けでの使用も可能で、訓練器の製作・設置は簡易で、安価な足指・踵ペダル訓練器を提供する。【解決手段】足指と踵をそれぞれ足指荷重台（３）と踵荷重台（５）に載せ、ペダル訓練器基板（１）を踏み込むと足底筋（土踏まず部）に張力を生じ収縮がおこり、同時に下肢全体の筋（大腿四頭筋や大腿二頭筋など）も筋収縮をおこし筋力強化できる、足底筋を強化し、下肢の関節（股関節、膝関節、足関節）を動かさないことで除痛での筋力強化ができることを特徴とする。【選択図】図１
2005169039.tif 000002
【特許請求の範囲】
【請求項１】
足指・踵ペダル訓練器基板（１）の前方には足指荷重台（３）を設け、その上部に足指保護固定カバー（４）を設け、後方には踵荷重台（５）があり、その上部に踵保護固定カバーを設け、固定された底板（２）との間にはスポンジやバネなどの抵抗物を敷き、足底で踏み込む時、足底筋と関連して大腿筋などの下肢全体の筋力強化もできるようにした足指・踵ペダル訓練器。
【発明の詳細な説明】
【技術分野】
【０００１】  この発明は、ペダルに足指と踵を荷重することで、足底筋に張力を生じ効率よく筋力強化ができることと、同時に下肢全体の筋（大腿四頭筋や大腿二頭筋などのこと）の筋力強化も併せて行えるように工夫した足指・踵ペダル訓練器に関するものである。
さらに関節を動かさない等尺性収縮で、痛みの少ない効率的筋力強化ができる足指・踵ペダル訓練器に関するものである。
等尺性収縮とは、筋肉の長さを変えず、関節の動きもおこさないで行う筋収縮の意味である。
【背景技術】
【０００２】  従来、土踏まず部分で踏み込むもの、又は平坦なプレートに足底面全体をのせて踏み込むようなペダルがあった。
【発明の開示】
【発明が解決しようとする課題】
【０００３】  これは、次のような欠点があった。
（イ）従来、スポーツや医療の分野で用いられているこれに類するペダルは、土踏まず部分で踏み込むもの、又は平坦なプレートで、足底面全体で暗み込むものであったため、筋力強化での運動効率が極めで低かった。
土踏まず部分で踏み込むもの、又は足底面全体で平坦なプレートを踏み込むため、足底筋に張力が生じず筋収縮せず、足底筋の筋力強化とはならなかった。
また大腿部の筋肉だけで膝を伸展させ、ペダルを踏み込むため、大腿部のためだけの筋力強化であった。
そのため運動効果が低く、時間効率も低かった。
さらに、関節痛や老化などが原因で膝関節や足関節などの関節を大きく動かすことのできない人のために、関節を動かさないで足底筋を含めた下肢筋全体の筋力強化訓練が可能なペダル訓練器である。
今回発明したペダルは、これらの非効率、低時間効率、有痛性の下肢筋力強化を極めて簡易な運動訓練器で改善可能とした。
（ロ）従来これらのペダルは、自転車（実用、練習用）などのシャフトに連結しての仕様のものだけであった。
今回発明したペダルは、この問題を解決するたに、ペダルはシャフト連結でも非連結でも使用可能とし取り外し可能とした。
さらにペダルのサイズ変更も可能なものとした。
このことで、自転車での使用でも、自転車以外の使用でも（座位姿勢や仰向けでも）使用可能とした。
このことは、健常者のみならず、病気などで起き上がり不可能な人、座位保持不可能な人、痛みで関節を大きく動かせない人などにも足底筋を含めた下肢全体の効率的筋力強化訓練を可能とした。
これらのペダルの製作は、自転車などの専門メーカー以外は不可能と一般的に考えられていた。
これらの事実を解決し、ペダルの製作を簡易なものとし、また安価とした。
製作用の材料は、木や合成樹脂など加工し易い物を適宜採用できる。
本発明は、これらの欠点を除くためになされたものである。
【課題を解決するための手段】
【０００４】  ペダル基板（１）の前方には足指荷重台（３）があり、その上部に足指保護固定カバー（４）を設け、後方には踵荷重台（５）があり、その上部に踵保護固定カバー（６）を設ける。
足指を足指荷重台（３）に、踵を踵荷重台（５）にそれぞれ載せて踏み込むことで膝を伸展させる筋力だけでなく、足底筋に張力を生じさせ筋収縮をおこさせて、同時に下肢全体の筋力強化も併せてできる下肢筋力強化訓練器である。
本発明は、以上のような構成からなる足指・踵ペダル訓練器ある。
【発明の効果】
【０００５】  足指・踵ペダル訓練器は簡易な手順で足底筋を含む下肢全体の筋力強化訓練が実施可能である。
また、足指・踵ペダル訓練器は実用自転車、訓練用自転車いずれのシャフトにも連結可能である。
また、足指・踵ペダル訓練器単独でも椅子座位やベッド上仰向けで使用可能である。
さらに、足指・踵ペダル訓練器の製作・設置は簡易であり、安価である。
【発明を実施するための最良の形態】
【０００６】  以下、本発明の実施例について説明する。
（イ）足指・踵ペダル訓練器基板（１）の前方に足指荷重台（３）とその上部に足指保護固定カバー（４）を設け、後方に踵荷重台（５）と踵保護固定カバー（６）を設ける。
（ロ）足指を足指荷重台（３）に載せて足指保護固定カバー（４）で足指が保護固定される状態にして、踵は踵荷重台（５）に載せて踵保護固定カバー（６）で踵が保護固定される状態にして、基板（１）と固定された底板（２）の間のスポンジやバネなどの抵抗物に抗して足指と踵で同時に踏み込む。
（ハ）ペダルの踏み込みは、自転車（実用自転車、訓練用自転車いずれでも可）などのシャフト連結でも良いし、連結のない単独のペダルでの使用でも可能である。
（ニ）足指・踵ペダル訓練器を実用するためには、自転車（実用自転車、訓練用自転車いずれでも可）などのシャフト連結（８）により抵抗とすることでも効果は期待できるし、ペダルの基板と底板との間にスポンジやバネ（７）を敷き合わせて床や壁に押し当てる方法で実行すれば、膝関節の動きを抑制して、同様の効果を期待できる。
本発明は以上のような構造で、これを使用するときは、自転車こぎ運動でも実施可能である。
また、椅子座位やベッド上あおむけ状態（ペダル全体を立てる）でも実施可能となる。
特に、下肢の骨折などで病院に入院中の場合などでは、姿勢の制限なしにベッド上仰向けでも実施可能なので有効である。
また、足底のバネやスポンジの弾性や抵抗力を変えることで踏み込みの力を調節できる。
【図面の簡単な説明】
【０００７】
【図１】本発明の足指・踵ペダル訓練器の斜視図である。
【図２】本発明の足指・踵ペダル訓練器の訓練用自転車での使用状態を示した側面図である。
【符号の説明】
【０００８】１  足指・踵ペダル訓練器基板
２  足指・踵ペダル訓練器底板
３  足指荷重台
４  足指保護固定カバー
５  踵荷重台
６  踵保護固定カバー
７  スポンジ又はバネ
８  自転車シャフト
９  自転車ペダル固定ベルト
【図１】
2005169039.tif 000003
【図２】
2005169039.tif 000004
(57)【要約】〔課題〕  従来つま楊枝で歯間を掃除しても歯間歯ブラシの様に良く掃除できない〔解決手段〕つま楊枝掃除部に凸凹溝を造り歯間歯ブラシの様に掃除能力を上げたものです。【選択図】図１
2005169046.tif 000002
【特許請求の範囲】
【請求項１】
つま楊枝の歯と歯の間に差し込む箇所にらせん状の溝等を造り，歯間の汚れを取りやすくしたつま楊枝。
【発明の詳細な説明】
【発明の詳細な説明】
【技術分野】
【０００１】本発明は、つま楊枝の歯間に差し込み汚れを取る箇所に螺旋状の溝等を設け掃除する箇所を凸凹状にするため、掃除する箇所の表面積が広くなり又つま楊枝を回転すると凸凹状に汚れがつき掃除が容易になる。
【背景技術】
【０００２】従来のつま楊枝は掃除部がＡ角になっていたり３角形にしかなっていないので、歯間の汚れを取るのに時間がかかり、繊維質の食べ物が歯間に詰まっ場合等それを、掃除するのに苦労することがある。
【発明を実施するための最良の形態】
【０００３】本発明は、歯間の汚れの掃除を容易にし、つま楊枝の形状を変えたものである。
それを、図面で説明すると歯間掃除部１，に凸凹螺旋状の溝２，を造つくたり又歯間掃除部１，に縦に溝２，を付けたものである。
【発明の効果】
【０００４】このようにすれば、掃除部の凸凹状汚れつき易く掃除が容易であり、又固形物，例えば果物等につま楊枝を差し食べるとき等，凸凹部があるためつま楊枝から外れる欠点も補え便利である。
【図面の簡単な説明】
【図１】つま楊枝に螺旋状の溝を造った平面図
【図２】つま楊枝に縦状の溝を造った平面図
【符号の説明】
▲１▼つま楊枝の掃除部
▲２▼溝部（凸凹）
【図１】
2005169046.tif 000003
【図２】
2005169046.tif 000004